(57)【要約】【課題】  ユーザが複雑な操作を要することなく、セレクタに入力端子を容易に割り当てることができる入力設定装置を提供すること。【解決手段】  コネクションエリア５１Ａでセレクタに選択させる端子のタイプを選択した後、インプットエリア５１Ｂでセレクタに割り当てる入力端子を選択する。コネクションエリア５１Ａで選択されたタイプがセレクタへの割当が予め定められた入力端子であるときは、インプットエリアには予め割り当てられた入力端子が自動選択される。その結果、ユーザはどの入力端子がセレクタへの割当が必要／不要であるかを判別して操作する必要がなく、全ての入力端子について同じ操作をすればよい。【選択図】図５
2008123629.tif 000002
【特許請求の範囲】
【請求項１】
映像信号又は音声信号が入力され、セレクタへの割当が予め定められユーザ操作に応じて割当を変更できない１又は複数の入力端子と、ユーザ操作に応じてセレクタに割当可能な１又は複数の入力端子とを含む入力端子群と、
複数の該セレクタを有し、該複数のセレクタの中から１つのセレクタが選択されることにより、選択されたセレクタに割り当てられている入力端子を選択する選択手段と、
該セレクタに該入力端子をユーザ操作に応じて割り当てる割当手段と、
該セレクタに選択させる入力端子を、該セレクタへの割当が予め定められた入力端子と、ユーザ操作に応じてセレクタに割当可能な入力端子との中から、ユーザ操作に応じて１つの入力端子を選択する割当設定画面を該セレクタ毎に表示する割当設定画面表示手段とを備え、
該割当手段が、該割当設定画面において選択された入力端子がユーザ操作に応じてセレクタに割当可能な入力端子である場合に、該選択された入力端子を該セレクタに割り当て、該割当設定画面において選択された入力端子が該セレクタへの割当が予め定められた入力端子である場合、当該入力端子を該セレクタに選択させるように、ユーザ操作に応じて割当可能な入力端子の該セレクタへの割当を全て解除する、入力設定装置。
【請求項２】
前記割当設定画面表示手段が、前記セレクタに選択させる入力端子のタイプを選択するコネクションエリアと、該コネクションエリアで選択された入力端子のタイプに応じて入力端子を選択するインプットエリアとを含む前記割当設定画面を表示し、
該コネクションエリアにユーザ操作に応じてセレクタに割当可能な入力端子のタイプが選択されたとき、該インプットエリアにおいて、該選択されたタイプの複数の入力端子の中から１つの入力端子がユーザ操作に応じて選択され、
該コネクションエリアに該セレクタへの割当が予め定められた入力端子のタイプが選択されたとき、該インプットエリアにおいてはユーザ操作に応じて設定不能であり、
前記割当手段が、該コネクションエリアにユーザ操作に応じてセレクタに割当可能な入力端子のタイプが選択されたとき、該インプットエリアで選択された入力端子を該セレクタに割り当て、該コネクションエリアに該セレクタへの割当が予め定められた入力端子のタイプが選択されたとき、ユーザ操作に応じて割当可能な入力端子の該セレクタへの割当を全て解除する、請求項１に記載の入力設定装置。
【請求項３】
ユーザ操作に応じてセレクタに割当可能な入力端子のタイプ毎に、該セレクタと該タイプの入力端子との割当を設定する割当テーブルをさらに備え、
前記割当手段が、前記コネクションエリアにおいてユーザ操作に応じてセレクタに割当可能な入力端子のタイプが選択されたとき、該選択されたタイプの割当テーブルに、該割当設定画面に対応するセレクタと該インプットエリアで選択された入力端子との割当を設定し、該コネクションエリアで選択されたタイプ以外のタイプの割当テーブルに、該割当設定画面に対応するセレクタと入力端子との割当を解除するよう設定し、該コネクションエリアにおいて該セレクタへの割当が予め定められた入力端子のタイプが選択されたとき、全ての割当テーブルに、該割当設定画面に対応するセレクタと入力端子との割当を解除するよう設定する、請求項２に記載の入力設定装置。
【請求項４】
前記入力端子のタイプ毎に該入力端子に接続すべきケーブルのイメージデータと、該入力端子のイメージデータとを記憶するイメージデータ記憶手段をさらに備え、
前記割当設定画面表示手段が、前記コネクションエリアにおいて選択された入力端子のタイプに対応するケーブルイメージを表示するケーブルイメージ表示エリアと、前記インプットエリアで選択された入力端子のイメージを表示する端子イメージ表示エリアとをさらに含む割当設定画面を表示する、請求項１〜３のいずれかに記載の入力設定装置。
【請求項５】
映像信号又は音声信号が入力され、セレクタへの割当が予め定められユーザ操作に応じて割当を変更できない１又は複数の入力端子と、ユーザ操作に応じてセレクタに割当可能な１又は複数の入力端子とを含む入力端子群と、複数の該セレクタを有し、該複数のセレクタの中から１つのセレクタが選択されることにより、選択されたセレクタに割り当てられている入力端子を選択する選択手段とを備える増幅装置の入力設定プログラムであり、
該セレクタに該入力端子をユーザ操作に応じて割り当てる割当ステップと、
該セレクタに選択させる入力端子を、該セレクタへの割当が予め定められた入力端子と、ユーザ操作に応じてセレクタに割当可能な入力端子との中から、ユーザ操作に応じて１つの入力端子を選択する割当設定画面を該セレクタ毎に表示する割当設定画面表示ステップとをコンピュータに実行させ、
該割当ステップにおいて、該割当設定画面で選択された入力端子がユーザ操作に応じてセレクタに割当可能な入力端子である場合に、該選択された入力端子を該セレクタに割り当て、該割当設定画面で選択された入力端子が該セレクタへの割当が予め定められた入力端子である場合、当該入力端子を該セレクタに選択させるように、ユーザ操作に応じて割当可能な入力端子の該セレクタへの割当を全て解除する、入力設定プログラム。
【発明の詳細な説明】
【技術分野】
【０００１】
本発明は、入力設定装置に関し、詳細には、操作者が複雑な操作を要することなく、セレクタに入力端子を割当設定することができる入力設定装置に関する。
【背景技術】
【０００２】
ＡＶ（オーディオビジュアル）システムに用いられるＡＶアンプは、複数の入力端子を備え、複数の再生機器（ＤＶＤプレーヤ、ＶＴＲ、セットトップボックスなど）が接続されており、セレクト部のセレクタを切換えることによって、再生する機器を選択することができる。このようなＡＶアンプにおいては、セレクタに入力端子を割り当てることができる。これは、セレクタが選択する入力端子を自由に変更できるものであり、例えば、ＤＶＤプレーヤをいずれの入力端子に接続したとしても、ＤＶＤセレクタを選択すれば、ＤＶＤプレーヤが接続された入力端子を選択することができる。セレクタとしては、例えば、ＤＶＤセレクタ、ビデオ１セレクタ〜ビデオ４セレクタ等がある。映像入力端子としては、コンポーネント端子、Ｄ４端子、ＨＤＭＩ端子、コンポジット端子、Ｓビデオ端子等がある。コンポーネント端子、Ｄ４端子及びＨＤＭＩ端子はセレクタの数だけ端子数が存在せず、これらの端子は一般的にユーザ操作によって任意のセレクタに割り当てられる。一方、コンポジット端子及びＳビデオ端子はセレクタ毎に設けられ、セレクタに入力端子が予め割り当てられており、ユーザ操作でその割当を変更できないようになっている。
【０００３】
セレクタへの入力端子の割当設定は、ＯＳＤ（オンスクリーンディスプレイ）に従って作業を進めていくが、きわめて複雑な操作が必要である。例として、コンポーネント１端子、コンポーネント２端子、コンポーネント３端子、ＨＤＭＩ１端子、ＨＤＭＩ２端子、コンポジット端子、Ｓビデオ端子が設けられている場合を説明する。
【０００４】
セレクタにコンポーネント端子を割り当てるには、図２に示すコンポーネント割当テーブルをＯＳＤ表示する。コンポーネント割当テーブルには、各セレクタに対応付けて「ＩＮ１」、「ＩＮ２」、「ＩＮ３」、「ＮＯ」を設定可能になっており、「ＩＮ１」が選択されたセレクタにはコンポーネント１端子が割り当てられ、「ＩＮ２」が選択されたセレクタにはコンポーネント２端子が割り当てられ、「ＩＮ３」が選択されたセレクタにはコンポーネント３端子が割り当てられ、「ＮＯ」が選択されたセレクタにはコンポーネント端子が割り当てられない。
【０００５】
セレクタにＨＤＭＩ端子を割り当てるには、図４に示すＨＤＭＩ割当テーブルをＯＳＤ表示する。ＨＤＭＩ割当テーブルには、各セレクタに対応付けて「ＩＮ１」、「ＩＮ２」、「ＮＯ」を設定可能になっており、「ＩＮ１」が選択されたセレクタにはＨＤＭＩ１端子が割り当てられ、「ＩＮ２」が選択されたセレクタにはＨＤＭＩ２端子が割り当てられ、「ＮＯ」が選択されたセレクタにはＨＤＭＩ端子が割り当てられない。
【０００６】
なお、Ｄ４端子が存在する場合も、セレクタにＤ４端子を割り当てるとき、上記と同様に図３に示すＤ４割当テーブルに設定する必要がある。
【０００７】
セレクタにコンポジット端子又はＳビデオ端子を選択させる場合、コンポジット端子及びＳビデオ端子はセレクタ毎に設けられており、ユーザ操作によって任意のセレクタに割り当てることができない。従って、図２〜図４のような割当テーブルが設けられていない。この場合、図２〜図４に示す割当テーブルの該当するセレクタを全て「ＮＯ」に設定することによって、そのセレクタがコンポジット又はＳビデオを選択するようにすることができる。なお、セレクタは、Ｓビデオ端子及びコンポジット端子のうちケーブルが接続されている方を自動的に選択するが、両方接続されているときはＳビデオ端子が優先的に選択される。
【０００８】
上記のような割当操作においては、以下の問題がある。コンポーネント端子、Ｄ４端子又はＨＤＭＩ端子をセレクタに割り当てる場合には、各割当テーブルをモニタにＯＳＤ表示させ、セレクタに入力端子を割り当てる操作が必要であり、一方、コンポジット端子又はＳビデオ端子をセレクタに選択させる場合は、これらの端子に割当テーブルは存在せず、コンポーネント、Ｄ４及びＨＤＭＩの割当テーブルの対応セレクタを全て「ＮＯ」にする必要があり、この操作がユーザにとって非常に分かりにくく、複雑である。また、例えば、ＤＶＤセレクタの割当をＨＤＭＩ１端子からコンポーネント１端子に変更する場合、まずＨＤＭＩ割当テーブルのＤＶＤセレクタを「ＩＮ１」から「ＮＯ」に変更した後、コンポーネント割当テーブルのＤＶＤセレクタを「ＮＯ」から「ＩＮ１」に変更する必要があり、非常に面倒である。つまり、ＨＤＭＩ割当テーブルのＤＶＤセレクタが「ＩＮ１」のままでは、コンポーネント割当テーブルのＤＶＤセレクタを「ＮＯ」から「ＩＮ１」に変更することができず、ユーザを困惑させる。これらの問題は、図２〜図４のような割当テーブルを入力端子のタイプ毎にＯＳＤ表示していることに起因している。
【０００９】
【特許文献１】特開２００３−１０９３６３号公報
【発明の開示】
【発明が解決しようとする課題】
【００１０】
本発明は上記従来の課題を解決するためになされたものであり、その目的は、ユーザが複雑な操作を要することなく、セレクタに入力端子を容易に割り当てることができる入力設定装置を提供することにある。
【課題を解決するための手段】
【００１１】
本発明の好ましい実施形態による入力設定装置は、映像信号又は音声信号が入力され、セレクタへの割当が予め定められユーザ操作に応じて割当を変更できない１又は複数の入力端子と、ユーザ操作に応じてセレクタに割当可能な１又は複数の入力端子とを含む入力端子群と、複数の該セレクタを有し、該複数のセレクタの中から１つのセレクタが選択されることにより、選択されたセレクタに割り当てられている入力端子を選択する選択手段と、該セレクタに該入力端子をユーザ操作に応じて割り当てる割当手段と、該セレクタに選択させる入力端子を、該セレクタへの割当が予め定められた入力端子と、ユーザ操作に応じてセレクタに割当可能な入力端子との中から、ユーザ操作に応じて１つの入力端子を選択する割当設定画面を該セレクタ毎に表示する割当設定画面表示手段とを備える。該割当手段は、該割当設定画面において選択された入力端子がユーザ操作に応じてセレクタに割当可能な入力端子である場合に、該選択された入力端子を該セレクタに割り当て、該割当設定画面において選択された入力端子が該セレクタへの割当が予め定められた入力端子である場合、当該入力端子を該セレクタに選択させるように、ユーザ操作に応じて割当可能な入力端子の該セレクタへの割当を全て解除する。
【００１２】
セレクタ（割当状態）に選択させる入力端子を設定する割当設定画面を、セレクタ毎に表示する。割当設定画面では、ユーザは、セレクタへの割当が予め定められた入力端子と、ユーザ操作に応じてセレクタに割当可能な入力端子との中から、セレクタに選択させる入力端子を選択する。従って、ユーザは、セレクタにいずれの入力端子を選択させる場合も、割当設定画面において設定操作を行うだけでよく、操作が非常に容易になる。これは、割当設定画面で、ユーザ操作に応じてセレクタに割当可能な入力端子が選択されたときは、セレクタにその入力端子を割り当て、一方、セレクタへの割当が予め定められた入力端子が選択されたときは、ユーザ操作に応じてセレクタに割当可能な入力端子のセレクタへの割当を自動的に解除するようにしたからである。そのため、例えば、ＤＶＤセレクタの割当をＨＤＭＩ１端子からコンポーネント１端子に変更する場合、ユーザは割当設定画面でＨＤＭＩ１端子からコンポーネント１端子に変更するだけでよい。
【００１３】
好ましい実施形態においては、前記割当設定画面表示手段は、前記セレクタに選択させる入力端子のタイプを選択するコネクションエリアと、該コネクションエリアで選択された入力端子のタイプに応じて入力端子を選択するインプットエリアとを含む前記割当設定画面を表示する。該コネクションエリアにユーザ操作に応じてセレクタに割当可能な入力端子のタイプが選択されたとき、該インプットエリアにおいて、該選択されたタイプの複数の入力端子の中から１つの入力端子がユーザ操作に応じて選択される。該コネクションエリアに該セレクタへの割当が予め定められた入力端子のタイプが選択されたとき、該インプットエリアにおいてはユーザ操作に応じて設定不能である。（つまり、該インプットエリアにおいて、該セレクタへの割当が予め定められた入力端子が自動的に表示される、又は、入力端子が表示されない。）前記割当手段は、該コネクションエリアにユーザ操作に応じてセレクタに割当可能な入力端子のタイプが選択されたとき、該インプットエリアで選択された入力端子を該セレクタに割り当て、該コネクションエリアに該セレクタへの割当が予め定められた入力端子のタイプが選択されたとき、ユーザ操作に応じて割当可能な入力端子の該セレクタへの割当を全て解除する。
【００１４】
この場合、コネクションエリアでセレクタに選択させる端子のタイプを選択した後、インプットエリアでセレクタに割り当てる入力端子を選択する。コネクションエリアで選択されたタイプがセレクタへの割当が予め定められた入力端子であるときは、インプットエリアには予め割り当てられた入力端子が自動表示されるか、又は、入力端子が表示されない（つまり、選択不能になっている）。その結果、ユーザはどの入力端子がセレクタへの割当が必要／不要であるかを判別して操作する必要がなく、全ての入力端子について同じ操作をすればよいという非常に優れた効果が得られる。
【００１５】
好ましい実施形態においては、入力設定装置は、ユーザ操作に応じてセレクタに割当可能な入力端子のタイプ毎に、該セレクタと該タイプの入力端子との割当を設定する割当テーブルをさらに備える。前記割当手段は、前記コネクションエリアにおいてユーザ操作に応じてセレクタに割当可能な入力端子のタイプが選択されたとき、該選択されたタイプの割当テーブルに、該割当設定画面に対応するセレクタと該インプットエリアで選択された入力端子との割当を設定し、該コネクションエリアで選択されたタイプ以外のタイプの割当テーブルに、該割当設定画面に対応するセレクタと入力端子との割当を解除するよう設定し、該コネクションエリアにおいて該セレクタへの割当が予め定められた入力端子のタイプが選択されたとき、全ての割当テーブルに、該割当設定画面に対応するセレクタと入力端子との割当を解除するよう設定する。
【００１６】
この場合、割当設定画面の設定内容に基づいて、割当テーブルを自動的に設定することにより、割当手段がセレクタに入力端子を割り当てることができる。割当テーブルは、ユーザ操作に応じてセレクタに割当可能な入力端子のタイプ毎に設けられた従来と同様のものを採用することができるので、設計の際に従来との互換性を得ることができる。
【００１７】
好ましい実施形態においては、入力設定装置は、前記入力端子のタイプ毎に該入力端子に接続すべきケーブルのイメージデータと、該入力端子のイメージデータとを記憶するイメージデータ記憶手段をさらに備える。前記割当設定画面表示手段は、前記コネクションエリアにおいて選択された入力端子のタイプに対応するケーブルイメージを表示するケーブルイメージ表示エリアと、前記インプットエリアで選択された入力端子のイメージを表示する端子イメージ表示エリアとをさらに含む割当設定画面を表示する。
【００１８】
この場合、ユーザは、ケーブル及び入力端子のイメージを見ながら割当設定画面を操作できるので、さらに設定操作が容易になる。
【００１９】
本発明の別の局面においては、上記各手段をコンピュータに実行させる入力設定プログラムが提供され得る。
【発明の効果】
【００２０】
本発明によると、セレクタ毎に割当設定画面を用いてセレクタへの割当設定を行うことができるので、割当設定操作が非常に容易になる。
【発明を実施するための最良の形態】
【００２１】
以下、本発明の好ましい実施形態について、図面を参照して説明するが、本発明はこれらの実施形態には限定されない。図1は、本実施形態の入力設定装置が適用された増幅装置１を示すブロック図である。なお、本実施例では主にセレクタへの映像入力端子の割当操作を説明するが、セレクタへの音声入力端子の割当操作も同様である。
【００２２】
増幅装置1は、入力端子群２、セレクト部３、制御部（以下、マイコンという）４、メモリ部（フラッシュメモリ、ＲＯＭ、ＲＡＭ等を含む）５、ＯＳＤ表示部６、映像出力端子７、音声処理部８、操作部９、及び、表示部１０を備えている。
【００２３】
入力端子群２は、複数の映像入力端子と、複数の音声入力端子とを含み、図示しない再生装置（ＤＶＤプレーヤ、ＶＴＲ、セットトップボックス、ＣＤプレーヤ等）が接続される。映像入力端子は、例えば、コンポジット端子、Ｓビデオ端子、３つのコンポーネント端子（コンポーネント１端子〜コンポーネント３端子）、３つのＤ４端子（Ｄ４−１端子〜Ｄ４−３端子）及び２つのＨＤＭＩ端子（ＨＤＭＩ１端子〜ＨＤＭＩ２端子）を含む。コンポジット端子及びＳビデオ端子はセレクタ毎に１つずつ設けられている。音声入力端子は、例えば、アナログ音声端子、同軸デジタル端子、光デジタル端子、ＨＤＭＩ端子等を含む。
【００２４】
セレクト部３は、マイコン４からの命令により、複数の映像入力端子に入力される映像データの中から１つの映像データを選択する。セレクト部３は、複数のセククタを有している。本例では、ＤＶＤセレクタ、ビデオ１〜ビデオ４セレクタの５つのセレクタが存在する。
【００２５】
各セレクタには、ユーザ操作に基づいて、任意のＤ４端子、コンポーネント端子、又はＨＤＭＩ端子を割り当てることができる。割当はメモリ部５に記憶されている割当テーブル５Ａの内容をマイコン４が書き換えることによって実行される。
【００２６】
セレクタにコンポーネント端子を割り当てる際には、図２に示すコンポーネント割当テーブルが用いられる。各セレクタに対応付けて、「ＩＮ１」、「ＩＮ２」、「ＩＮ３」又は「ＮＯ」が設定される。「ＩＮ１」が設定されたとき、そのセレクタにコンポーネント１端子が割り当てられ、「ＩＮ２」が設定されたとき、そのセレクタにコンポーネント２端子が割り当てられ、「ＩＮ３」が設定されたとき、そのセレクタにコンポーネント３端子が割り当てられ、「ＮＯ」が設定されたとき、そのセレクタにコンポーネント端子が割り当てられない。
【００２７】
セレクタにＤ４端子を割り当てる際には、図３に示すＤ４割当テーブルが用いられる。各セレクタに対応付けて、「ＩＮ１」、「ＩＮ２」、「ＩＮ３」又は「ＮＯ」が設定される。「ＩＮ１」が設定されたとき、そのセレクタにＤ４−１端子が割り当てられ、「ＩＮ２」が設定されたとき、そのセレクタにＤ４−２端子が割り当てられ、「ＩＮ３」が設定されたとき、そのセレクタにＤ４−３端子が割り当てられ、「ＮＯ」が設定されたとき、そのセレクタにＤ４端子が割り当てられない。
【００２８】
セレクタにＨＤＭＩ端子を割り当てる際には、図４に示すＨＤＭＩ割当テーブルが用いられる。各セレクタに対応付けて、「ＩＮ１」、「ＩＮ２」、又は「ＮＯ」が設定される。「ＩＮ１」が設定されたとき、そのセレクタにＨＤＭＩ１端子が割り当てられ、「ＩＮ２」が設定されたとき、そのセレクタにＨＤＭＩ２端子が割り当てられ、「ＮＯ」が設定されたとき、そのセレクタにＨＤＭＩ端子が割り当てられない。
【００２９】
一方、コンポジット端子及びＳビデオ端子は、各セレクタに予め割り当てられており、ユーザ操作によって任意のセレクタに割り当てることができない。セレクタにコンポジット端子又はＳビデオ端子を選択させる際には、マイコン４は、図２〜図４の割当テーブルの該当するセレクタを全て「ＮＯ」に設定する。後述する図５の割当設定画面のみを使って、図２〜図４の割当テーブルを設定することが本発明の特徴の１つである。
【００３０】
マイコン４は、メモリ部５に格納されているプログラムを実行することにより、増幅装置１の各部を制御する。マイコン４は、割当部４Ａ及びＯＳＤ制御部４Ｂを含む。割当部４Ａは、ユーザ操作に基づいて、セレクタにコンポーネント端子、Ｄ４端子、又はＨＤＭＩ端子を割り当てる。又は、割当部４Ａは、セレクタにコンポジット端子又はＳビデオ端子を選択させるときセレクタへのコンポーネント端子、Ｄ４端子、又はＨＤＭＩ端子の割当を解除する。割当を解除するとは、割当テーブルに「ＮＯ」を設定することである。ＯＳＤ制御部４Ｂは、図５に示す割当設定画面をＯＳＤ表示するようＯＳＤ表示部６を制御する。
【００３１】
図５は、図２〜図４の各割当テーブルを設定するための割当設定画面である。割当設定画面はセレクタ毎に表示され、図５（ａ）はＤＶＤセレクタの割当設定画面を示し、図５（ｂ）はビデオ１セレクタの割当設定画面を示す。ユーザが操作部９を操作する毎に、モニタにＯＳＤ表示される割当設定画面が切り替わるようになっている。つまり、最初は、図５（ａ）のようにＤＶＤセレクタの割当設定画面が表示され、操作部を操作することにより、ビデオ１セレクタ〜ビデオ４セレクタの順で割当設定画面が順次表示される。
【００３２】
図５（ａ）のＤＶＤセレクタを例に説明する。割当設定画面は、映像設定エリア(以下、VIDEOエリアという)５１と、音声設定エリア(以下、AUDIOエリアという)５２と、ケーブルイメージ表示エリア５３と、端子イメージ表示エリア５４とを含む。VIDEOエリア５１は、ＤＶＤセレクタに選択させる映像入力端子のタイプを設定するエリア（以下、CONNECTIONエリアという）５１Ａと、ＤＶＤセレクタに割り当てる入力端子を設定するエリア（以下、INPUTエリアという）５１Ｂとを含む。ここで、映像入力端子のタイプとは、コンポーネント、Ｄ４、ＨＤＭＩ、コンポジット、Ｓビデオ等の端子の種類を表すものである。すなわち、CONNECTIONエリアにおいては、ユーザ操作によって割当可能な入力端子のタイプと、セレクタへの割当が予め定められている入力端子のタイプとの中から１つのタイプが選択される。CONNECTIONエリア５１Ａにカーソル（図示せず）が位置する状態で、操作部９のRIGHT/LEFTボタンが押されたとき、このうちの１つが順次選択される。
【００３３】
INPUTエリア５１Ｂは、CONNECTIONエリア５１Ａで選択された入力端子のタイプに対応する複数の入力端子の中から、ユーザ操作によって１つの入力端子が選択される。例えば、図５（ａ）のように、CONNECTIONエリア５１ＡにＨＤＭＩが設定されているとき、ＨＤＭＩ端子は２つ存在するので、INPUTエリアにＨＤＭＩ１端子を表すＩＮ１、又は、ＨＤＭＩ２端子を表すＩＮ２のいずれかがユーザ操作によって選択される。なお、CONNECTIONエリア５１Ａにコンポジット又はＳビデオが設定されているとき、これらの端子はセレクタに予め割り当てられているので、INPUTエリアはユーザによって選択できない。つまり、INPUTエリアには、予め割り当てられている入力端子を示すＩＮ１が自動的に表示される、あるいは、図５（ｂ）に示すように設定できないことを示す「−  −  −」が表示される。
【００３４】
割当部４Ａは、図５の割当設定画面でユーザによって設定された内容に基づいて、図２〜図４の各割当テーブルの内容を更新する。具体的には、CONNECTIONエリア５１Ａで選択されたタイプがユーザ操作によって割当可能なタイプ（Ｄ４、コンポーネント又はＨＤＭＩ）である場合、対応する割当テーブルの対応するセレクタにINPUTエリア５１Ｂで選択された入力端子を設定し、その他の割当テーブルの対応するセレクタに「ＮＯ」を設定する。例えば、図５（ａ）のＤＶＤセレクタの割当設定画面でCONNECTIONエリア５１ＡにＨＤＭＩが、INPUTエリアにＩＮ１が選択されたとき、割当部４Ａは、図４に示すＨＤＭＩ割当テーブルのＤＶＤセレクタに「ＩＮ１」を設定し、コンポーネント割当テーブル及びＤ４割当テーブルのＤＶＤセレクタに「ＮＯ」を設定する。
【００３５】
CONNECTIONエリア５１Ａで選択されたタイプがセレクタに予め割り当てられているタイプ（コンポジット又はＳビデオ）である場合、図２〜図４の全ての割当テーブルの対応するセレクタに「ＮＯ」を設定する。当該セレクタが選択されたとき、コンポジット又はＳビデオが選択されるようにするためである。例えば、図５（ａ）のＤＶＤセレクタの割当設定画面でCONNECTIONエリア５１Ａにコンポジットが選択されたとき、図２〜図４の割当テーブルのＤＶＤセレクタに全て「ＮＯ」を設定する。
【００３６】
ケーブルイメージ表示エリア５３は、映像入力端子に対応するケーブル又は音声入力端子に対応するケーブルのイメージを表示するエリアである。つまり、VIDEOエリアにカーソルが位置するとき、ケーブルイメージ表示エリア５３は、VIDEOエリアのCONNECTIONエリアのタイプに対応するケーブルのイメージを表示する。例えば、図５（ａ）の場合、ケーブルイメージ表示エリア５３には、ＨＤＭＩケーブルのイメージが表示される。AUDIOエリアにカーソルが位置するとき、ケーブルイメージ表示エリア５３は、AUDIOエリアのCONNECTIONエリアのタイプに対応するケーブルのイメージを表示する。
【００３７】
端子イメージ表示エリア５４は、カーソルがVIDEOエリアに位置するとき、そのINPUTエリアに設定されている映像入力端子のイメージを表示する。例えば、図５（ａ）の場合、端子イメージ表示エリア５４にはＨＤＭＩ１端子のイメージが表示される。同様に、カーソルがAUDIOエリアに位置するとき、端子イメージ表示エリア５４は、INPUTエリアに設定されている音声入力端子のイメージを表示する。
【００３８】
図１に戻り、メモリ部５は、図２〜図４の各割当テーブル５Ａ、ケーブルイメージ表示エリア５３に表示するためのケーブルイメージデータ５Ｂ、端子イメージ表示エリア５４に表示するための端子イメージデータ５Ｃを格納する。
【００３９】
メモリ部５は、図６に示す入力端子数テーブルをさらに格納している。入力端子数テーブルは、各タイプの入力端子数を管理するテーブルであり、例えば、コンポジットには１、ＨＤＭＩには２が登録されている。また、その入力端子数に応じて入力端子番号が設定されており、入力端子数が１であれば入力端子番号１のみが、入力端子数が２であれば入力端子番号１、２が、入力端子数が３であれば入力端子番号１、２、３が設定されている。
【００４０】
メモリ部５は、図７に示す設定状況テーブルをさらに格納している。設定状況テーブルは、図５の割当設定画面におけるユーザ操作に基づく各エリアの現在の設定状態を記憶するものであり、後述するフローチャートの各処理に利用される。詳細には、「カーソル」は、現在のカーソル位置がCONNECTIONエリアにあるか、INPUTエリアにあるかを記憶し、「コネクション」はCONNECTIONエリアの設定内容（各タイプ）を記憶し、「インプット」はINPUTエリアの設定内容（ＩＮ１、ＩＮ２、ＩＮ３）を記憶する。
【００４１】
メモリ部５は、図８に示すイメージテーブルをさらに格納している。イメージテーブルは、入力端子のタイプ及び入力端子番号の組合せに対応付けて、ケーブルイメージデータのファイル名と、端子イメージデータのファイル名とを管理する。イメージテーブルは、ケーブルイメージ表示エリア及び端子イメージ表示エリアに表示するイメージを選択するために使用される。
【００４２】
再び図１に戻り、ＯＳＤ表示部６は、ＯＳＤ制御部４Ｂからの命令に基づいて、図５の割当設定テーブルのＯＳＤ画面を生成し、映像出力端子７を介して外部に接続されたモニタにＯＳＤ表示する。音声処理部８は、音声入力端子を介して入力された音声信号にＤ／Ａ変換、信号処理、増幅処理等を施して、外部に接続された図示しないスピーカーに音声信号を供給する。操作部９は、リモコン受光部（及びリモコン送信機）、フロントパネルに設けられた操作ボタン等であり、割当設定画面に対してユーザが指示を入力するためのUPボタン、DOWNボタン、RIGHTボタン、LEFTボタン、ENTERボタン等を含む。表示部１０は、ＬＣＤやＦＬ管等であり、ＯＳＤ制御部４Ｂが割当設定画面をモニタにＯＳＤ表示させる代わりに、表示部１０に割当設定画面を表示することもできる。
【００４３】
以上の構成を有する増幅装置１について、マイコン４の割当処理をフローチャートを参照して説明する。図９に示すように、マイコン４は、セレクタ毎に順次割当設定画面を表示して、セレクタ毎に割当設定を実行する。つまり、マイコン４は、ＤＶＤセレクタの割当設定（Ｓ５１）、ビデオ１セレクタの割当設定（Ｓ５２）、ビデオ２セレクタの割当設定（Ｓ５３）、ビデオ３セレクタの割当設定（Ｓ５４）、ビデオ４セレクタの割当設定（Ｓ５４）の順に実行する。以下、ＤＶＤセレクタの割当設定を例に説明するが、その他のセレクタも同様である。なお、映像入力端子の場合を例に説明するが、音声入力端子の割当も同様である。
【００４４】
図１０に示すように、マイコン４は、図５（ａ）の割当設定画面がＯＳＤ表示されているとき、メイン処理として、ENTERボタンが押されたか（Ｓ１０１）、UPボタン又はDOWNボタンが押されたか（Ｓ１０２、Ｓ１０３）、RIGHTボタン又はLEFTボタンが押されたか（Ｓ１０４、Ｓ１０５）を監視している。
【００４５】
ENTERボタンが押された場合（Ｓ１０１でＹＥＳ）、マイコン４は設定決定処理（Ｓ１０９）を実行し、処理を終了する。Ｓ１０９の詳細は後述する。
【００４６】
UPボタン又はDOWNボタンが押されると、マイコン４は、割当設定画面のカーソル位置を上下に移動させる。詳細には、UPボタンが押された場合（Ｓ１０２でＹＥＳ）、マイコン４は、カーソルアップ処理を実行し（Ｓ１１０）、Ｓ１０８に進む。Ｓ１１０の詳細を図１１に示す。マイコン４は、図７の設定状況テーブルを参照して、カーソルの現在値を判断し（Ｓ２００）、カーソルの現在値がCONNECTIONの場合、カーソルをINPUTエリアに移動させ（Ｓ２０１）、カーソルの現在値がINPUTの場合、カーソルをCONNECTIONエリアに移動させる（Ｓ２０２）。なお、カーソルの移動に伴い、設定状況テーブルのカーソルの値も更新する。
【００４７】
DOWNボタンが押された場合（Ｓ１０３でＹＥＳ）、マイコン４は、カーソルダウン処理を実行し（Ｓ１１１）、Ｓ１０８に進む。Ｓ１１１の詳細を図１２に示す。マイコン４は、図７の設定状況テーブルを参照して、カーソルの現在値を判断し（Ｓ３００）、カーソルの現在値がCONNECTIONの場合、カーソルをINPUTエリアに移動させ（Ｓ３０１）、カーソルの現在値がINPUTの場合、カーソルをCONNECTIONエリアに移動させる（Ｓ３０２）。なお、カーソルの移動に伴い、設定状況テーブルのカーソルの値も更新する。
【００４８】
カーソルがCONNECTINエリアに位置するときにRIGHT/LEFTボタンが押されると、CONNECTINエリアの端子のタイプが選択される。詳細には、カーソルの現在値がCONNECTIONの時にRIGHTボタンが押された場合（Ｓ１０４でＹＥＳ、Ｓ１２０でConnection）、マイコン４は、コネクションアップ処理を実行し（Ｓ１１２）、Ｓ１０８に進む。Ｓ１１２の詳細を図１３に示す。マイコン４は、図７の設定状況テーブルを参照して、コネクションの現在値を判断し（Ｓ４００）、コネクションの現在値がコンポジットの場合、端子のタイプをＳビデオに変更し、INPUTエリアをＩＮ１に自動設定し（Ｓ４０１）、コネクションの現在値がＳビデオの場合、端子のタイプをコンポーネントに変更し、INPUTエリアを初期値であるＩＮ１に自動設定し（Ｓ４０２）、コネクションの現在値がコンポーネントの場合、端子のタイプをＤ４に変更し、INPUTエリアを初期値であるＩＮ１に設定し（Ｓ４０３）、コネクションの現在値がＤ４の場合、端子のタイプをＨＤＭＩに変更し、INPUTエリアを初期値であるＩＮ１に自動設定し（Ｓ４０４）、コネクションの現在値がＨＤＭＩの場合、端子のタイプをコンポジットに変更し、INPUTエリアをＩＮ１に自動設定する（Ｓ４０５）。なお、設定状況テーブルのコネクションの値も更新される。
【００４９】
カーソルの現在値がCONNECTIONエリアの時にLEFTボタンが押された場合（Ｓ１０５でＹＥＳ、Ｓ１２１でConnection）、マイコン４は、コネクションダウン処理を実行し（Ｓ１１３）、Ｓ１０８に進む。Ｓ１１３の詳細を図１４に示す。マイコン４は、図７の設定状況テーブルを参照して、コネクションの現在値を判断し（Ｓ５００）、コネションの現在値がコンポジットの場合、端子のタイプをＨＤＭＩに変更し、INPUTエリアを初期値であるＩＮ１に自動設定し（Ｓ５０１）、コネクションの現在値がＳビデオの場合、端子のタイプをコンポジットに変更し、INPUTエリアをＩＮ１に自動設定し（Ｓ５０２）、コネクションの現在値がコンポーネントの場合、端子のタイプをＳビデオに変更し、INPUTエリアをＩＮ１に自動設定し（Ｓ５０３）、コネクションの現在値がＤ４の場合、端子のタイプをコンポーネントに変更し、INPUTエリアを初期値であるＩＮ１に自動設定し（Ｓ５０４）、コネクションの現在値がＨＤＭＩの場合、端子のタイプをＤ４に変更し、INPUTエリアを初期値であるＩＮ１に設定する（Ｓ５０５）。なお、設定状況テーブルのコネクションの値も更新される。
【００５０】
カーソルがINPUTエリアにあるときにRIGHT/LEFTボタンが押されたとき、INPUTエリアで入力端子が選択される。詳細には、カーソルの現在値がINPUTの時にRIGHTボタンが押された場合（Ｓ１０４でＹＥＳ、Ｓ１２０でInput）、マイコン４は、インプットアップ処理を実行し（Ｓ１１４）、Ｓ１０８に進む。Ｓ１１４の詳細を図１５に示す。マイコン４は、図７の設定状況テーブルのインプットを参照して、インプットの設定値を１加えた値にする（Ｓ６００）。次に、マイコン４は、図６の入力端子数テーブルを参照し、Ｓ６００で得られた値が、CONNECTIONエリアで選択されているタイプの端子の数を超えたか否かを判断する（Ｓ６０１）。例えば、CONNECTIONエリアで選択されているタイプがＨＤＭＩのとき、Ｓ６００の結果インプットの値が３になったか否かを判断する。越えている場合（Ｓ６０１でＹＥＳ）、マイコン４は、設定状況テーブルのインプットの値を１に戻す（Ｓ６０２）。そして、Ｓ６０３において、設定状況テーブルのインプットの値に対応する入力端子を、INPUTエリアに表示する。従って、RIGHTボタンを押す毎に「ＩＮ１」、「ＩＮ２」、「ＩＮ１」・・の順で表示が切り替わる。
【００５１】
カーソルの現在値がINPUTエリアの時にLEFTボタンが押された場合（Ｓ１０５でＹＥＳ、Ｓ１２１でInput）、マイコン４は、インプットダウン処理を実行し（Ｓ１１５）、Ｓ１０８に進む。Ｓ１１５の詳細を図１６に示す。マイコン４は、図７の設定状況テーブルのインプットを参照して、インプットの設定値を１引いた値にする（Ｓ７００）。次に、マイコン４は、Ｓ７００で得られた値が０であるか否かを判断する（Ｓ７０１）。０の場合（Ｓ７０１でＹＥＳ）、マイコン４は、設定状況テーブルのインプットの値を、図６の入力端子数テーブルを参照して、CONNECTIONエリアに設定されているタイプの端子数に戻す（Ｓ７０２）。例えば、CONNECTIONエリアがＨＤＭＩであれば、設定状況テーブルのインプットの値を2に戻す。そして、Ｓ７０３において、設定状況テーブルのインプットの値に対応する入力端子をINPUTエリアに表示する。従って、LEFTボタンを押す毎に「ＩＮ２」、「ＩＮ１」、「ＩＮ２」・・の順で表示が切り替わる。
【００５２】
なお、CONNECTIONエリアで選択されている端子のタイプがコンポジット又はＳビデオである場合には、図６を参照すると、これらの入力端子数は１に設定されているので、仮にユーザがRIGHT/LEFTボタンを押してもＩＮ１しか表示されない。これは、コンポジット又はＳビデオが予めセレクタへの割当が決まっており、ユーザによって割当を変更できないからである。
【００５３】
Ｓ１０８において、マイコン４は、図６の設定状況テーブルのコネクション及びインプットの値に基づいて、図８のイメージテーブルを参照して、対応するケーブルのイメージデータ及び入力端子のイメージデータをメモリ部５から読み出して、ケーブルイメージ表示エリア、端子イメージ表示エリアに各イメージを表示する。
【００５４】
次に、Ｓ１０９の設定決定処理を図１７を参照して説明する。Ｓ１０９ではマイコン４が図５の割当設定画面に基づくユーザの操作に応じて（すなわち、図７の設定状況テーブルの値に基づいて）、図２〜図４の各割当テーブルを設定する。マイコン４は、図７の設定状況テーブルを参照して、コネクションの現在値を判断する（Ｓ８００）。設定状況テーブルのコネクションの値がコンポジット又はＳビデオの場合、図２〜図４の全ての割当テーブルのＤＶＤセレクタに「ＮＯ」を設定する（Ｓ８０１）。コンポーネント、Ｄ４及びＨＤＭＩの全ての割当を解除することによって、ＤＶＤセレクタがコンポジット又はＳビデオを選択するためである。
【００５５】
設定状況テーブルのコネクションの値がコンポーネントの場合、図２のコンポーネント割当テーブルのＤＶＤセレクタに図７の設定状況テーブルのインプットの値を設定し、他の（Ｄ４及びＨＤＭＩ）割当テーブルのＤＶＤセレクタにＮＯを設定する（Ｓ８０２）。すなわち、設定状況テーブルのインプットが1であれば、コンポーネント割当テーブルのＤＶＤセレクタにIN1を設定する。これにより、ＤＶＤセレクタにはコンポーネント１端子が割り当てられ、ＤＶＤセレクタがコンポーネント１端子を選択する。
【００５６】
設定状況テーブルのコネクションの値がＤ４の場合、図３のＤ４割当テーブルのＤＶＤセレクタに図７の設定状況テーブルのインプットの値を設定し、他の（コンポーネント及びＨＤＭＩ）割当テーブルのＤＶＤセレクタにＮＯを設定する（Ｓ８０３）。すなわち、設定状況テーブルのインプットが1であれば、Ｄ４割当テーブルのＤＶＤセレクタにIN1を設定する。これにより、ＤＶＤセレクタにはＤ４−１端子が割り当てられ、ＤＶＤセレクタがＤ４−１端子を選択する。
【００５７】
設定状況テーブルのコネクションの値がＨＤＭＩの場合、図４のＨＤＭＩ割当テーブルのＤＶＤセレクタに図７の設定状況テーブルのインプットの値を設定し、他の（コンポーネント及びＤ４）割当テーブルのＤＶＤセレクタにＮＯを設定する（Ｓ８０４）。すなわち、設定状況テーブルのインプットが1であれば、ＨＤＭＩ割当テーブルのＤＶＤセレクタにIN1を設定する。これにより、ＤＶＤセレクタにはＨＤＭＩ１端子が割り当てられ、ＤＶＤセレクタがＨＤＭＩ１端子を選択する。
【００５８】
以上のように、本実施形態では、割当設定画面をセレクタ毎に表示するので、ユーザは当該セレクタに選択させる端子のタイプをCONNECTIONエリアで選択し、次いで、選択された端子のタイプがユーザによって割当可能なタイプの場合に、当該セレクタに割り当てる入力端子を選択するだけで、図２〜図４の割当テーブルが自動的に設定されるので、割当操作が非常に容易になる。つまり、複数の割当テーブルをＯＳＤ表示させ、ユーザ操作で個別に変更する必要がなくなる。例えば、ＤＶＤセレクタの割当をＨＤＭＩ１端子からコンポーネント２端子に変更する場合、ユーザは割当設定画面のCONNECTIONエリアをＨＤＭＩからコンポーネントに変更し、INPUTエリアをIN1からIN2に変更するだけでよい。また、ＤＶＤセレクタの割当をＨＤＭＩ１端子からコンポジット端子に変更する場合、ユーザは割当設定画面のCONNECTIONエリアをＨＤＭＩからコンポジットに変更するだけでよい。
【００５９】
以上、本発明の好ましい実施形態を説明したが、本発明はこれらの実施形態には限定されない。ケーブルイメージ表示エリア及び端子イメージ表示エリアは、映像及び音声のケーブル及び端子の両方を同時に表示してもよい。図２〜図４の割当テーブルの代わりに、図１８に示すように、入力端子に対応付けてセレクタを設定するものでもよい。音声入力端子の割当操作も同様であり、その場合には、カーソルの上下移動でAudioエリアを選択して同様の操作をすればよい。また、本例では、割当設定画面の設定状況に基づいて上記の割当テーブルを設定することで割当を行っているが、図５の割当設定画面自体を割当テーブルとして使用してもよい。つまり、本発明は割当設定画面を使ってユーザに割当設定させればよく、割当処理自体は上記の例に限定されない。また、本発明は、上記の動作をコンピュータに実行させるためのコンピュータプログラムという形態で提供することもできる。
【産業上の利用可能性】
【００６０】
本発明は、ＡＶアンプに好適に採用され得る。
【図面の簡単な説明】
【００６１】
【図１】増幅装置１を示すブロック図である。
【図２】コンポーネント割当テーブルを示す図である。
【図３】Ｄ４割当テーブルを示す図である。
【図４】ＨＤＭＩ割当テーブルを示す図である。
【図５】割当設定画面を示す図である。
【図６】入力端子数テーブルを示す図である。
【図７】設定状況テーブルを示す図である。
【図８】イメージテーブルを示す図である。
【図９】割当設定画面の遷移を示す図である。
【図１０】割当設定処理のメイン処理を示すフローチャートである。
【図１１】カーソルアップ処理を示すフローチャートである。
【図１２】カーソルダウン処理を示すフローチャートである。
【図１３】コネクションアップ処理を示すフローチャートである。
【図１４】コネクションダウン処理を示すフローチャートである。
【図１５】インプットアップ処理を示すフローチャートである。
【図１６】インプットダウン処理を示すフローチャートである。
【図１７】設定決定処理を示すフローチャートである。
【図１８】割当テーブルの変形例を示す図である。
【符号の説明】
【００６２】
１              増幅装置
２              入力端子群
３              セレクト部
４              制御部
４Ａ            割当部
４Ｂ            ＯＳＤ制御部
５              メモリ部
５Ａ            割当テーブル
６              ＯＳＤ表示部
【図１】
2008123629.tif 000003
【図２】
2008123629.tif 000004
【図３】
2008123629.tif 000005
【図４】
2008123629.tif 000006
【図５】
2008123629.tif 000007
【図６】
2008123629.tif 000008
【図７】
2008123629.tif 000009
【図８】
2008123629.tif 000010
【図９】
2008123629.tif 000011
【図１０】
2008123629.tif 000012
【図１１】
2008123629.tif 000013
【図１２】
2008123629.tif 000014
【図１３】
2008123629.tif 000015
【図１４】
2008123629.tif 000016
【図１５】
2008123629.tif 000017
【図１６】
2008123629.tif 000018
【図１７】
2008123629.tif 000019
【図１８】
2008123629.tif 000020